(57)【要約】      （修正有）【課題】迅速にかつ簡単に異常部位を特定する。【解決手段】制御所に配置された中央制御装置２と、電気所に配置され、前記中央制御装置２から受け取った制御情報を含む第１の情報に基づいて前記電気所の制御対象機器を制御するとともに、前記制御対象機器の状態情報を含む第２の情報を取得して前記中央制御装置へ伝送する遠隔監視制御装置４とが、伝送路を介して接続され、前記遠隔監視制御装置及び前記伝送路の状態を監視するための監視制御システムであって、中央制御装置２は、遠隔監視制御装置４からレベル情報を受信すると、表示部に表示させ、受信レベルのみ低下していると判定した場合は、回線異常と判定し、送信レベルのみ低下していると判定した場合は、装置異常と判定して、判定結果を表示部に表示させる。【選択図】図１
2012141666.tif 000002
【特許請求の範囲】
【請求項１】
制御所に配置された中央制御装置と、電気所に配置され、前記中央制御装置から受け取った制御情報を含む第１の情報に基づいて前記電気所の制御対象機器を制御するとともに、前記制御対象機器の状態情報を含む第２の情報を取得して前記中央制御装置へ伝送する遠隔監視制御装置とが、伝送路を介して接続され、前記遠隔監視制御装置及び前記伝送路の状態を監視するための監視制御システムであって、
前記伝送路は、前記中央制御装置から前記遠隔監視制御装置へ前記第１の情報を伝送するための第１の伝送路と、前記遠隔監視制御装置から前記中央制御装置へ前記第２の情報を伝送するための第２の伝送路とを含み、
前記遠隔監視制御装置は、前記第１の情報及び前記第２の情報の信号の強さ又はレベルをそれぞれ示す第１の信号情報及び第２の信号情報を取得する信号情報取得手段と、前記第１の信号情報及び前記第２の信号情報を、前記第２の情報に含ませる信号情報格納手段とを有し、
前記中央制御装置は、前記第２の情報に含まれる前記第１の信号情報と前記第２の信号情報とのうち、前記第１の信号情報のみ所定値以下に低下した場合に、前記伝送路が異常であると判定し、前記第２の信号情報のみ所定値以下に低下した場合に、前記遠隔監視制御装置が異常であると判定する異常判定手段を有する
ことを特徴とする監視制御システム。
【請求項２】
前記遠隔監視制御装置は、前記伝送路に接続され、信号を変調及び復調するための変調・復調手段を有し、前記第１の信号情報は、前記変調・復調手段に入力される直前の信号に基づいて生成され、前記第２の信号情報は、前記変調・復調手段から出力された直後の信号に基づいて生成されることを特徴とする請求項１に記載の監視制御システム。
【請求項３】
前記伝送路は、ともに複数の前記第１の伝送路及び前記第２の伝送路を含み、同一の前記第１の信号情報及び同一の前記第２の信号情報が、複数の前記第２の伝送路を伝送されることを特徴とする請求項１又は２に記載の監視制御システム。
【請求項４】
制御所に配置された中央制御装置と、電気所に配置され、前記中央制御装置から受け取った制御情報を含む第１の情報に基づいて前記電気所の制御対象機器を制御するとともに、前記制御対象機器の状態情報を含む第２の情報を取得して前記中央制御装置へ伝送する遠隔監視制御装置とが、伝送路を介して接続され、前記遠隔監視制御装置及び前記伝送路の状態を監視するための監視制御方法であって、
前記伝送路は、前記中央制御装置から前記遠隔監視制御装置へ前記第１の情報を伝送するための第１の伝送路と、前記遠隔監視制御装置から前記中央制御装置へ前記第２の情報を伝送するための第２の伝送路とを含み、
前記遠隔監視制御装置は、前記第１の情報及び前記第２の情報の信号の強さ又はレベルをそれぞれ示す第１の信号情報及び第２の信号情報を取得する信号情報取得処理と、前記第１の信号情報及び前記第２の信号情報を、前記第２の情報に含ませる信号情報格納処理とを実行し、
前記中央制御装置は、前記第２の情報に含まれる前記第１の信号情報と前記第２の信号情報とのうち、前記第１の信号情報のみ所定値以下に低下した場合に、前記伝送路が異常であると判定し、前記第２の信号情報のみ所定値以下に低下した場合に、前記遠隔監視制御装置が異常であると判定する異常判定処理を実行する
ことを特徴とする監視制御方法。
【発明の詳細な説明】
【技術分野】
【０００１】
この発明は、例えば、変電所等の電気所に配置された遠隔監視制御装置及び伝送路の状態を監視するための監視制御システム及び監視制御方法に関する。
【背景技術】
【０００２】
従来より、遠隔監視システム（監視制御システム）では、例えば、制御所に配置された中央制御装置が、遠隔制御により、変電所に配置された遠隔監視制御装置を介して機器を制御し、計測された電圧値や電流値等のデータは、遠隔監視制御装置から回線を介して中央制御装置へ送られ、その表示部に表示される（例えば、特許文献１等参照。）。
【０００３】
こうした遠隔監視システムにおいて、送受信用の回線に不具合が生じた場合は、回線断や回線渋滞等として検出される。例えば、標準受信レベルより１０〜１５ｄＢ以下に低下した状態が略２秒間以上継続した場合は、回線断として検出される。また、データリンクを確立した動作モードを正常とし、これ以外は回線渋滞として検出される。不具合検出時の送受信レベルは、現地の遠隔監視制御装置にレベル計を接続して測定しなければならない。
【先行技術文献】
【特許文献】
【０００４】
【特許文献１】特開平１０−２５７６７３号公報
【発明の概要】
【発明が解決しようとする課題】
【０００５】
しかしながら、上記従来技術において、不具合検出時の送受信レベルは、現地へ出向いて遠隔監視制御装置にレベル計を接続して測定するまでわからないため、遠隔監視制御装置において故障が発生した場合に、その原因が、回線部か、遠隔監視制御装置内部かは、現地へ出向くまでわからない。このため、特に移動距離が長い場合は不具合部位の特定に時間がかかり、移動時間及び作業時間に対応した人件費も嵩む。また、遠隔監視制御装置の故障が発生後すぐに復帰したり、この現象が繰り返される場合も、送受信レベルが正常か否か知るために現地へ出向かなければならない。また、通信回線異常の場合でも、担当外の制御部署の職員が対応しなければならい。
【０００６】
この発明は、前記の課題を解決し、迅速にかつ簡単に異常部位を特定することができる監視制御システム及び監視制御方法を提供することを目的としている。
【課題を解決するための手段】
【０００７】
前記の課題を解決するために、請求項１の発明は、制御所に配置された中央制御装置と、電気所に配置され、前記中央制御装置から受け取った制御情報を含む第１の情報に基づいて前記電気所の制御対象機器を制御するとともに、前記制御対象機器の状態情報を含む第２の情報を取得して前記中央制御装置へ伝送する遠隔監視制御装置とが、伝送路を介して接続され、前記遠隔監視制御装置及び前記伝送路の状態を監視するための監視制御システムであって、前記伝送路は、前記中央制御装置から前記遠隔監視制御装置へ前記第１の情報を伝送するための第１の伝送路と、前記遠隔監視制御装置から前記中央制御装置へ前記第２の情報を伝送するための第２の伝送路とを含み、前記遠隔監視制御装置は、前記第１の情報及び前記第２の情報の信号の強さ又はレベルをそれぞれ示す第１の信号情報及び第２の信号情報を取得する信号情報取得手段と、前記第１の信号情報及び前記第２の信号情報を、前記第２の情報に含ませる信号情報格納手段とを有し、前記中央制御装置は、前記第２の情報に含まれる前記第１の信号情報と前記第２の信号情報とのうち、前記第１の信号情報のみ所定値以下に低下した場合に、前記伝送路が異常であると判定し、前記第２の信号情報のみ所定値以下に低下した場合に、前記遠隔監視制御装置が異常であると判定する異常判定手段を有することを特徴としている。
【０００８】
請求項１の発明では、遠隔監視制御装置において、第１の情報及び第２の情報の信号の強さ又はレベルをそれぞれ示す第１の信号情報及び第２の信号情報を取得し、第１の信号情報及び第２の信号情報を、第２の情報に含ませ、中央制御装置において、第２の情報に含まれる第１の信号情報と第２の信号情報とのうち、第１の信号情報のみ所定値以下に低下した場合に、伝送路が異常であると判定し、第２の信号情報のみ所定値以下に低下した場合に、遠隔監視制御装置が異常であると判定する。
【０００９】
請求項２の発明は、請求項１に記載の監視制御システムであって、前記遠隔監視制御装置は、前記伝送路に接続され、信号を変調及び復調するための変調・復調手段を有し、前記第１の信号情報は、前記変調・復調手段に入力される直前の信号に基づいて生成され、前記第２の信号情報は、前記変調・復調手段から出力された直後の信号に基づいて生成されることを特徴としている。
【００１０】
請求項３の発明は、請求項１又は２に記載の監視制御システムであって、前記伝送路は、ともに複数の前記第１の伝送路及び前記第２の伝送路を含み、同一の前記第１の信号情報及び同一の前記第２の信号情報が、複数の前記第２の伝送路を伝送されることを特徴としている。
【００１１】
請求項４の発明は、制御所に配置された中央制御装置と、電気所に配置され、前記中央制御装置から受け取った制御情報を含む第１の情報に基づいて前記電気所の制御対象機器を制御するとともに、前記制御対象機器の状態情報を含む第２の情報を取得して前記中央制御装置へ伝送する遠隔監視制御装置とが、伝送路を介して接続され、前記遠隔監視制御装置及び前記伝送路の状態を監視するための監視制御方法であって、前記伝送路は、前記中央制御装置から前記遠隔監視制御装置へ前記第１の情報を伝送するための第１の伝送路と、前記遠隔監視制御装置から前記中央制御装置へ前記第２の情報を伝送するための第２の伝送路とを含み、前記遠隔監視制御装置は、前記第１の情報及び前記第２の情報の信号の強さ又はレベルをそれぞれ示す第１の信号情報及び第２の信号情報を取得する信号情報取得処理と、前記第１の信号情報及び前記第２の信号情報を、前記第２の情報に含ませる信号情報格納処理とを実行し、前記中央制御装置は、前記第２の情報に含まれる前記第１の信号情報と前記第２の信号情報とのうち、前記第１の信号情報のみ所定値以下に低下した場合に、前記伝送路が異常であると判定し、前記第２の信号情報のみ所定値以下に低下した場合に、前記遠隔監視制御装置が異常であると判定する異常判定処理を実行することを特徴としている。
【発明の効果】
【００１２】
請求項１の発明によれば、遠隔監視制御装置において、第１の情報及び第２の情報の信号の強さ又はレベルをそれぞれ示す第１の信号情報及び第２の信号情報を取得し、第１の信号情報及び第２の信号情報を、第２の情報に含ませ、中央制御装置において、第２の情報に含まれる第１の信号情報と第２の信号情報とのうち、第１の信号情報のみ所定値以下に低下した場合に、伝送路が異常であると判定し、第２の信号情報のみ所定値以下に低下した場合に、遠隔監視制御装置が異常であると判定するので、迅速にかつ簡単に異常部位を特定することができる。
【００１３】
請求項２の発明によれば、第１の信号情報は、変調・復調手段に入力される直前の信号に基づいて生成され、第２の信号情報は、変調・復調手段から出力された直後の信号に基づいて生成されるので、特に、第１の信号情報は、変調・復調手段の影響を受けない状態で生成されるため、確実に異常部位を特定することができる。
【００１４】
請求項３の発明によれば、回線断の第２の伝送路があっても、他の第２の伝送路を伝送された第１の信号情報及び第２の信号情報に基づいて、異常判定を実行することができる。
【００１５】
請求項４の発明によれば、遠隔監視制御装置において、第１の情報及び第２の情報の信号の強さ又はレベルをそれぞれ示す第１の信号情報及び第２の信号情報を取得し、第１の信号情報及び第２の信号情報を、第２の情報に含ませ、中央制御装置において、第２の情報に含まれる第１の信号情報と第２の信号情報とのうち、第１の信号情報のみ所定値以下に低下した場合に、伝送路が異常であると判定し、第２の信号情報のみ所定値以下に低下した場合に、遠隔監視制御装置が異常であると判定するので、迅速にかつ簡単に異常部位を特定することができる。
【図面の簡単な説明】
【００１６】
【図１】この発明の一実施の形態による遠隔監視システムの構成を説明するための説明図である。
【図２】同遠隔監視システムの中央制御装置の構成を示すブロック図である。
【図３】同中央制御装置の表示部における表示例を示す図である。
【図４】同遠隔監視システムの遠隔監視制御装置の構成を示すブロック図である。
【図５】同遠隔監視制御装置で用いるＴＣポジション表の例を示す図である。
【図６】同中央制御装置の動作を説明するための処理手順図である。
【発明を実施するための形態】
【００１７】
次に、この発明の実施の形態について、図面を用いて詳しく説明する。
【００１８】
図１は、この発明の一実施の形態による遠隔監視システムの構成を説明するための説明図、図２は、同遠隔監視システムの中央制御装置の構成を示すブロック図、図３は、同中央制御装置の表示部における表示例を示す図、図４は、同遠隔監視システムの遠隔監視制御装置の構成を示すブロック図、図５は、同遠隔監視制御装置で用いるＴＣポジション表の例を示す図、図６は、同中央制御装置の動作を説明するための処理手順図である。
【００１９】
図１に示すように、この実施の形態の遠隔監視システム１は、制御所Ｄに配置された中央制御装置２と、制御中継所Ｅに配置された情報集配信装置３，３，…と、電気所としての変電所Ｆに配置された遠隔監視制御装置４，４，…とを備えて概略構成されている。この実施の形態では、伝送路は、Ａルート回線（第１の伝送路、第２の伝送路）及びＢルート回線（第１の伝送路、第２の伝送路）から構成される２重系とされている。
【００２０】
中央制御装置２は、図２に示すように、所定のプログラムに従って構成各部を制御する制御部６と、各種制御プログラムやデータが記憶される記憶部７と、所定のプロトコルに従ってデータ通信を行うための通信部８と、キーボードを含む操作部９と、液晶ディスプレイ等からなる表示部１１とを有している。
【００２１】
制御部６は、ＣＰＵ（Ｃｅｎｔｒａｌ  Ｐｒｏｃｅｓｓｉｎｇ  Ｕｎｉｔ）等からなり、記憶部７に記憶された所定の制御プログラムに従って構成各部を制御する。この実施の形態の中央制御装置２においては、レベル情報取得処理や、情報表示制御処理、異常判定処理等が実行される。
【００２２】
中央制御装置２は、レベル情報取得処理で、遠隔監視制御装置４からレベル情報を取得し、記憶部７に記憶させる。中央制御装置２は、情報表示制御処理で、レベル情報や判定結果等を表示部１１に表示させる。
【００２３】
中央制御装置２は、異常判定処理で、受信レベルのみ低下している場合は、回線異常と判定し、送信レベルのみ低下している場合は、装置異常と判定する。中央制御装置２は、例えば、受信レベル（送信レベル）が、標準受信レベルより所定レベル（例えば、１０〜１５ｄＢ）以下の値まで低下した場合に、回線異常（装置異常）と判定する。
【００２４】
記憶部７は、ＲＯＭ、ＲＡＭ等の半導体メモリや、ＨＤ（ハードディスク）、ＣＤ−ＲＯＭ等が装着されるＨＤＤ、ＣＤ−ＲＯＭドライブ等から構成されている。表示部１１における表示画面は、図３に示すように、レベル情報表示領域１１ａと、遠隔監視制御装置設定・故障情報表示領域１１ｂと、情報集配信装置設定・故障情報表示領域１１ｃとを有しているレベル情報表示領域１１ａには、Ａルートの送信レベル及び受信レベルと、Ｂルートの送信レベル及び受信レベルとが表示される。また、遠隔監視制御装置設定・故障情報表示領域１１ｂには、判定結果や、設定情報等が表示される。
【００２５】
情報集配信装置３は、監視制御の演算処理等を実行する制御部と、監視制御に必要なデータを記憶する記憶部と、中央制御装置２や遠隔監視制御装置４と通信を行うための通信部とを有している。情報集配信装置３は、制御対象機器の状態設定や制御に関する情報を管理する。
【００２６】
遠隔監視制御装置４は、図４に示すように、制御部１３と、変調／復調処理部１４ａ，１４ｂと、計測値変換器１５と、回線レベル変換器１６と、スキャナ部１７と、アナログ／ディジタル変換部（以下、Ａ／Ｄ変換部という。）１８とを有している。遠隔監視制御装置４は、遮断器等の制御対象機器や、各種計器に接続される。遠隔監視制御装置４では、予め、回線レベル測定値伝送用の計測ワードが設定される。すなわち、図５に示すように、ＡルートＳ（送信）、ＡルートＲ（受信）、ＢルートＳ、ＢルートＲの計測値がＴＣポジション表の空きワードへ格納される。なお、情報集配信装置３においても予め設定がなされる。
【００２７】
制御部１３は、Ａ／Ｄ変換部１８から受け取ったディジタル値を伝送値へスケール変換する処理と、スケール変換されたデータをバッファに格納する処理と、上下限等の合理性をチェックする処理と、定周期又は要求時に上位局（制御中継所Ｅ、制御所Ｄ）へ伝送する処理とを実行する。
【００２８】
変調／復調処理部１４ａ，１４ｂは、中央制御装置２から情報集配信装置３を介して送られてきた受信信号を復調して制御部１３に入力するとともに、制御部１３から受け取った信号を変調して送信信号として、中央制御装置２へ向けて送信する。計測値変換器１５は、各計測器から入力された計測値を、直流電圧値（ＤＣＶ）へ変換し、スキャナ部１７に入力する。これらの計測値は、正相電圧値（Ｖ）、正相電流値（Ａ）、有効電力値（Ｗ）、無効電力値（Ｖａｒ）、零相電圧値（Ｖ０）等を含んでいる。
【００２９】
回線レベル変換器１６は、Ａルート及びＢルートの送信信号（第２の情報）ｓａ，ｓｂについて、変調／復調処理部１４ａ，１４ｂから出力された直後の回線レベル測定値（ｄＢ）（第２の信号情報）を、Ａルート及びＢルートの受信信号（第１の情報）ｒａ，ｒｂについて、変調／復調処理部１４ａ，１４ｂへ入力される直前の回線レベル測定値（ｄＢ）（第１の信号情報）を、それぞれ対応する直流電圧値（ＤＣＶ）に変換し、スキャナ部１７に入力する。なお、レベル計としての機能は、この回線レベル変換器１６に含まれていても良いし、独立して設けられていても良い。
【００３０】
スキャナ部１７は、計測値変換器１５及び回線レベル変換器１６から受け取った直流電圧値（アナログ信号）をＡ／Ｄ変換部１８へ入力する。Ａ／Ｄ変換部１８は、スキャナ部１７から受け取った直流電圧値（アナログ信号）を、ディジタル値（０〜９９９）に変換して制御部１３へ出力する。
【００３１】
次に、図６を参照して、遠隔監視システム１の動作について説明する。中央制御装置２は、遠隔監視制御装置４からレベル情報を受信すると（ステップＳＡ１１（図６））、記憶部７に記憶させ、表示部１１に表示させる（ステップＳＡ１２）。中央制御装置２は、通常は、Ａルート及びＢルートのデータに基づいて以下の判定処理を実行する。
【００３２】
次に、中央制御装置２は、ステップＳＡ１３で、受信レベルのみ低下していると判定した場合は、ステップＳＡ１５で、回線異常と判定して、ステップＳＡ１６へ進み、これ以外の場合は、ステップＳＡ１４へ進む。中央制御装置２は、ステップＳＡ１４で、送信レベルのみ低下していると判定した場合は、ステップＳＡ１７で、装置異常と判定して、ステップＳＡ１６へ進む。ステップＳＡ１６では、判定結果を表示部１１に表示させる。ステップＳＡ１３〜ステップＳＡ１７の処理は、繰り返し実行される。
【００３３】
こうして、この実施の形態の構成によれば、遠隔監視制御装置４が、受信レベル及び送信レベルを示すレベル情報を取得して、中央制御装置２へ伝送し、中央制御装置２は、受信レベルのみ低下した場合に、回線が異常であると判定し、送信レベルのみ低下した場合に、遠隔監視制御装置４が異常であると判定するので、迅速にかつ簡単に異常部位（異常原因）を特定することができ、制御部署の職員（運転員）は、表示部１１の画面表示を見て確認することができる。したがって、不具合発生時に、移動や調査を含む対応時間を短縮することができる。また、この移動に伴うガソリン代や、労務費等を節約することができる。
【００３４】
また、受信レベルは、変調・復調処理部１４ａ，１４ｂに入力される直前の信号に基づいて計測され、送信レベルは、変調・復調処理部１４ａ，１４ｂから出力された直後の信号に基づいて計測されるので、特に、受信レベルは、変調・復調処理部１４ａ，１４ｂの影響を受けない状態で生成されるため、確実に異常部位を特定することができる。
【００３５】
また、Ａルート回線及びＢルート回線を用いた２重系とされているので、一方のルートのデータが得られない片回線断の場合でも、他方のルートのデータに基づいて判定することができる。すなわち、片ルート断による不具合発生時に、回線が悪いか装置が悪いかを迅速に特定することができる。また、故障に至らなくても、レベル低下が著しい場合に、早期発見が可能となる。また、担当外の職員が対応する必要がない。
【００３６】
以上、この発明の実施の形態について図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、中央制御装置２において、レベル情報取得処理や、情報表示制御処理、異常判定処理等は、制御部が、対応する制御プログラムを実行することによって行うほかに、一部又は全部を専用のハードウェアを用いて行い、他の一部を対応するプログラムを実行して処理するようにしても良い。また、それぞれ別々のＣＰＵが実行しても良いし、例えば、単一のＣＰＵが実行しても良い。
【００３７】
また、遠隔監視制御装置４において、送信レベルについて、変調／復調処理部１４ａ，１４ｂに入力されるレベル値も取得し、変調／復調処理部１４ａ，１４ｂの故障を判定可能なようにしても良い。また、遠隔監視制御装置４で異常判定処理を実行するようにしても良いし、この判定結果を、表示部を設けてこれに表示させるほか、中央制御装置２へ送信しても良い。また、中央制御装置２に通信部署の通信部署端末を接続して、回線異常の場合に、通信部署に対応要請を実施するようにしても良い。
【産業上の利用可能性】
【００３８】
電気所として、変電所のほか、発電所等において適用できる。
【符号の説明】
【００３９】
１  遠隔監視システム（監視制御システム）
２  中央制御装置
４  遠隔監視制御装置
６  制御部（異常判定手段）
１３  制御部（信号情報格納手段）
１４ａ，１４ｂ  変調／復調処理部（変調・復調手段）
１６  回線レベル変換器（信号情報取得手段）
Ｄ  制御所
Ｆ  変電所（電気所）
【図１】
2012141666.tif 000003
【図２】
2012141666.tif 000004
【図３】
2012141666.tif 000005
【図４】
2012141666.tif 000006
【図５】
2012141666.tif 000007
【図６】
2012141666.tif 000008